(57)【要約】【課題】交通通信システムにおいて移動局の送信機会の減少を抑制可能とする。【解決手段】基地局は、交通信号灯器が存在する道路の周辺に設けられる。前記基地局は、前記交通信号灯器の信号灯色に関する情報要素を複数の階梯それぞれについて含む信号情報を取得し、前記信号情報の量を削減する削減処理を行う制御部と、前記削減処理後の信号情報を無線通信により移動局に送信する送信部とを備える。前記削減処理は、連続する２以上の階梯間で信号灯色が同じである場合、前記連続する２以上の階梯に対応する２以上の情報要素を１つに削減する結合処理を含む。【選択図】図７
2020161873.tif 000002
【特許請求の範囲】
【請求項１】
交通通信システムにおいて交通信号灯器が存在する道路の周辺に設けられる基地局であって、
前記交通信号灯器の信号灯色に関する情報要素を複数の階梯それぞれについて含む信号情報を取得し、前記信号情報の量を削減する削減処理を行う制御部と、
前記削減処理後の信号情報を無線通信により移動局に送信する送信部と、を備え、
前記削減処理は、連続する２以上の階梯間で信号灯色が同じである場合、前記連続する２以上の階梯に対応する２以上の情報要素を１つに削減する結合処理を含む
基地局。
【請求項２】
前記情報要素は、前記交通信号灯器の信号灯色を示す第１情報要素と、前記信号灯色の表示秒数を示す第２情報要素と、を含み、
前記結合処理は、前記連続する２以上の階梯間で信号灯色が同じである場合、
前記連続する２以上の階梯に対応する２以上の第１情報要素を１つに削減することと、
前記連続する２以上の階梯における信号灯色の表示秒数を合算することにより、前記連続する２以上の階梯に対応する２以上の第２情報要素を１つに削減することと、を含む
請求項１に記載の基地局。
【請求項３】
交差点における複数の方路に対応する複数の交通信号灯器が設けられる場合、前記制御部は、前記複数の交通信号灯器に対応する複数の信号情報を取得し、
前記削減処理は、前記複数の交通信号灯器において、信号灯色の変化パターンが同じである２以上の交通信号灯器が存在する場合、前記２以上の交通信号灯器に対応する２以上の信号情報を１つに削減する削除処理をさらに含む
請求項１又は２に記載の基地局。
【請求項４】
前記削減処理は、前記送信部に送信させる前記信号情報を、現在の信号灯色以降の所定変化数までの信号情報に限定する短縮処理をさらに含む
請求項１乃至３のいずれか１項に記載の基地局。
【請求項５】
前記削減処理は、前記送信部に送信させる前記信号情報を、現タイミングから所定時間が経過するまでの信号情報に限定する短縮処理をさらに含む
請求項１乃至３のいずれか１項に記載の基地局。
【請求項６】
無線通信により移動局からメッセージを受信する受信部をさらに備え、
前記制御部は、前記受信部が受信した前記メッセージに基づいて、前記削減処理を行うか否かを選択する
請求項１乃至５のいずれか１項に記載の基地局。
【請求項７】
前記メッセージは、車速の特定に用いる情報を含み、
前記制御部は、
前記情報により特定される前記車速が閾値よりも高い場合、前記削減処理を行わないことを選択し、
前記情報により特定される前記車速が前記閾値以下である場合、前記削減処理を行うことを選択する
請求項６に記載の基地局。
【請求項８】
前記制御部は、前記削減処理を行うことを選択した場合、前記情報により特定される前記車速に基づいて前記信号情報の量を調整する
請求項７に記載の基地局。
【請求項９】
前記制御部は、一定期間が経過する度に、前記削減処理が行われていない前記信号情報を前記送信部に送信させる
請求項１乃至８のいずれか１項に記載の基地局。
【請求項１０】
交通通信システムにおいて交通信号灯器が存在する道路の周辺に設けられる基地局の制御方法であって、
前記交通信号灯器の信号灯色に関する情報要素を複数の階梯それぞれについて含む信号情報を取得することと、
前記信号情報の量を削減する削減処理を行うことと、
前記削減処理後の信号情報を無線通信により移動局に送信することと、を備え、
前記削減処理は、連続する２以上の階梯間で信号灯色が同じである場合、前記連続する２以上の階梯に対応する２以上の情報要素を１つに削減する結合処理を含む
制御方法。
【発明の詳細な説明】
【技術分野】
【０００１】
本発明は、交通通信システムに用いる基地局及びその制御方法に関する。
【背景技術】
【０００２】
近年、交通事故の危険を回避可能な技術として高度道路交通システム（ＩＴＳ：Ｉｎｔｅｌｌｉｇｅｎｔ  Ｔｒａｎｓｐｏｒｔ  Ｓｙｓｔｅｍ）が注目されている。このような背景下において、非特許文献１には、路側に設置される基地局である路側機と、車両に搭載される移動局である車載機とを有する交通通信システムの標準規格について規定されている。
【０００３】
このような交通通信システムは、路側機及び車載機が同じ周波数帯を時分割で共用する。例えば、所定の制御周期内において複数の路車間通信期間が設けられており、路側機は、路車間通信期間において無線信号を送信する。車載機は、路車間通信期間以外の時間及び基地局に未割当の路車間通信期間において、ＣＳＭＡ／ＣＡ（Ｃａｒｒｉｅｒ  Ｓｅｎｓｅ  Ｍｕｌｔｉｐｌｅ  Ａｃｃｅｓｓ／Ｃｏｌｌｉｓｉｏｎ  Ａｖｏｉｄａｎｃｅ）方式により無線信号を送信する。
【先行技術文献】
【非特許文献】
【０００４】
【非特許文献１】ＡＲＩＢ  ＳＴＤ−Ｔ１０９  １．３版  「７００ＭＨｚ帯高度道路交通システム」
【発明の概要】
【発明が解決しようとする課題】
【０００５】
しかしながら、路側機（基地局）及び車載機（移動局）が同じ周波数帯を時分割で共用する交通通信システムにおいては、路側機の情報送信量が多いほど、路側機における送信時間が長くなるため、車載機の送信機会が減少するという問題がある。
【０００６】
そこで、本発明は、交通通信システムにおいて移動局の送信機会の減少を抑制可能な基地局及びその制御方法を提供することを目的とする。
【課題を解決するための手段】
【０００７】
第１の態様に係る基地局は、交通通信システムにおいて交通信号灯器が存在する道路の周辺に設けられる。前記基地局は、前記交通信号灯器の信号灯色に関する情報要素を複数の階梯それぞれについて含む信号情報を取得し、前記信号情報の量を削減する削減処理を行う制御部と、前記削減処理後の信号情報を無線通信により移動局に送信する送信部とを備える。前記削減処理は、連続する２以上の階梯間で信号灯色が同じである場合、前記連続する２以上の階梯に対応する２以上の情報要素を１つに削減する結合処理を含む。
【０００８】
第２の態様に係る制御方法は、交通通信システムにおいて交通信号灯器が存在する道路の周辺に設けられる基地局の制御方法である。前記制御方法は、前記交通信号灯器の信号灯色に関する情報要素を複数の階梯それぞれについて含む信号情報を取得することと、前記信号情報の量を削減する削減処理を行うことと、前記削減処理後の信号情報を無線通信により移動局に送信することとを備える。前記削減処理は、連続する２以上の階梯間で信号灯色が同じである場合、前記連続する２以上の階梯に対応する２以上の情報要素を１つに削減する結合処理を含む。
【発明の効果】
【０００９】
本発明の一態様によれば、交通通信システムにおいて移動局の送信機会の減少を抑制可能な基地局及びその制御方法を提供できる。
【図面の簡単な説明】
【００１０】
【図１】一実施形態に係る交通通信システムの構成例を示す図である。
【図２】一実施形態に係る交通通信システムにおける路車間通信期間の一例を示す図である。
【図３】一実施形態に係る車両の構成例を示す図である。
【図４】一実施形態に係る路側機の構成例を示す図である。
【図５】一実施形態に係る路側機の動作環境の一例を示す図である。
【図６】一実施形態に係る削減処理の概要を示す図である。
【図７】一実施形態に係る削減処理の具体例を示す図である。
【図８】一実施形態に係る路側機の動作フロー例を示す図である。
【図９】一実施形態に係る短縮処理の変更例を示す図である。
【図１０】その他の実施形態に係る路側機の動作例を示す図である。
【発明を実施するための形態】
【００１１】
一実施形態に係る交通通信システムについて図面を参照しながら説明する。なお、以下の図面の記載において、同一又は類似の部分には、同一又は類似の符号を付している。
【００１２】
（交通通信システムの構成）
まず、一実施形態に係る交通通信システムの構成について説明する。以下において、非特許文献１の標準規格に基づく無線通信を行う交通通信システムについて主として説明するが、この標準規格に限定されるものではなく、例えば３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）のＶ２Ｘ（Ｖｅｈｉｃｌｅ  ｔｏ  Ｅｖｅｒｙｔｈｉｎｇ）規格に基づく無線通信を行ってもよい。
【００１３】
図１は、一実施形態に係る交通通信システム１の構成例を示す図である。図１に示すように、交通通信システム１は、複数の車両１００と、複数の路側機２００とを有する。路側機２００は、基地局の一例である。
【００１４】
図１において、複数の車両１００として車両１００Ａ及び１００Ｂを例示し、複数の路側機２００として路側機２００Ａ及び２００Ｂを例示している。なお、車両１００としては普通自動車や軽自動車等の自動車を例示しているが、道路を通行する車両であればよく、例えば自動二輪車（オートバイ）等であってもよい。
【００１５】
各車両１００には、ＣＳＭＡ方式で無線通信を行う車載機１５０が搭載されている。車載機１５０は、移動局の一例である。路側機２００及び車載機１５０は１つの搬送波周波数（周波数帯）を時分割で共用する。
【００１６】
各路側機２００は、道路付近に設置されている。また、各路側機２００は、通信回線を介して中央装置４００に接続されている。路側機２００は、例えば一般道路における交差点ごとに設置されてもよいし、高速道路の路側に設置されてもよい。
【００１７】
図１に示す例おいて、路側機２００Ａは、交通信号灯器３００又はその支柱に設置されており、交通信号灯器３００と連携して動作する。路側機２００Ａは、交通信号灯器３００に関する情報（信号情報）をアプリケーションデータとして含む無線信号を送信する。
【００１８】
交通通信システム１は、路側機２００と車載機１５０との間で無線信号を送受信する路車間通信と、車載機１５０間で無線信号を送受信する車車間通信とを行う。また、交通通信システム１は、路側機２００間で無線信号を送受信する路路間通信をさらに行ってもよい。
【００１９】
路車間通信、車車間通信、及び路路間通信のそれぞれには、ブロードキャストによる無線通信が用いられてもよい。具体的には、送信される無線信号（通信パケット）について、宛先アドレス（宛先ＭＡＣアドレス）としてブロードキャストアドレスのみが規定されていてもよい。
【００２０】
各路側機２００は、通信回線を介して中央装置４００に接続される。中央装置４００には、路側に設置される車両感知器が通信回線を介して接続されてもよい。
【００２１】
中央装置４００は、各路側機２００から、当該路側機２００が車載機１５０から受信した車両１００の位置や車速等を含む車両情報を受信する。中央装置４００は、各道路に設置された路側センサから車両感知情報をさらに受信してもよい。
【００２２】
中央装置４００は、受信した情報に基づいて各種の交通情報を収集及び処理し、道路交通を統合して管理する。例えば、中央装置４００は、交通信号灯器３００に対して灯色切り替えを指示するように信号情報を送信してもよい。
【００２３】
（路車間通信期間）
次に、一実施形態に係る交通通信システム１における路車間通信期間について説明する。図２は、路車間通信期間の一例を示す図である。
【００２４】
図２に示すように、路側機２００及び車載機１５０は、１００ｍｓ周期での通信を基本とする。路側機２００は、自身の送信情報として送信時刻及び路車間通信期間情報（転送回数・路車間通信期間長）を周囲の車載機１５０に通知することにより、自身の送信時間を確保する。また、路側機２００間では±１６μｓ以下の同期精度を保つこととされている。
【００２５】
車載機１５０は、路側機２００から受信した送信時刻に基づいて時刻同期し、路車間通信期間情報に基づいて自身の送信を停止することで、路側機２００の送信期間以外のタイミングで送信を行う。
【００２６】
１００ｍｓの制御周期内において１６μｓを制御単位時間（ユニット）としており、制御周期は６２５０ユニットで構成される。１制御周期中に設定可能な路車間通信期間数の最大値は「１６」であり、制御周期の先頭から３９０ユニット（６２４０μｓ）間隔で配置する。設定可能な路車間通信期間長の最大値は、１８９ユニット（３０２４μｓ）である。
【００２７】
路側機２００には、１制御周期中にある１６の路車間通信期間のうち少なくとも１つの路車間通信期間を使用する。路側機２００は、自身の路車間通信期間に関する情報を含む路車間通信期間情報を含む無線信号をブロードキャストする。
【００２８】
車載機１５０は、路車間通信期間情報に基づいて、路側機２００が使用している路車間通信期間を把握し、路側機２００が使用している路車間通信期間において無線信号を送信しないようにする。また、車載機１５０は、路側機２００から受信した路車間通信時間情報を管理し、管理している路車間通信期間情報を車車間通信によりブロードキャストする。
【００２９】
（車両の構成）
次に、一実施形態に係る車両１００の構成について説明する。図３は、車両１００の構成例を示す図である。
【００３０】
図３に示すように、車両１００は、車載機１５０と、ＧＮＳＳ（Ｇｌｏｂａｌ  Ｎａｖｉｇａｔｉｏｎ  Ｓａｔｅｌｌｉｔｅ  Ｓｙｓｔｅｍ）受信機１２と、提示部１３と、駆動制御部１４とを有する。車載機１５０は、アンテナ１１ａと、無線通信部１１と、制御部１５とを有する。
【００３１】
無線通信部１１は、アンテナ１１ａを介して無線通信を行う。無線通信部１１は、路車間通信を行う。無線通信部１１は、車車間通信を行ってもよい。路車間通信及び車車間通信は、ユニキャストで行われてもよいし、ブロードキャストで行われてもよい。
【００３２】
無線通信部１１の無線通信方式は、ＡＲＩＢ  Ｔ１０９に準拠した方式であってもよいし、３ＧＰＰのＶ２Ｘ規格に準拠した方式であってもよいし、ＩＥＥＥ８０２．１１シリーズ等の無線ＬＡＮ規格に準拠した方式であってもよい。無線通信部１１は、これらの通信規格の全てに対応可能に構成されていてもよい。
【００３３】
無線通信部１１は、アンテナ１１ａが受信する無線信号をベースバンド信号（受信パケット）に変換して制御部１５に出力する受信部１１ｂを有する。また、無線通信部１１は、制御部１５が出力するベースバンド信号（送信パケット）を無線信号に変換してアンテナ１１ａから送信する送信部１１ｃを有する。
【００３４】
無線通信部１１は、ＡＲＩＢ  Ｔ１０９規格に準拠している場合、受信部１１ｂを用いてキャリアセンスを行って電波の周波数（例えば、７００ＭＨｚ帯）の空き状態を判定する機能を有していてもよい。無線通信部１１の送信部１１ｃは、キャリアセンスの結果に応じて決定されたタイミングでパケットを送信してもよい。１以上のパケットによって１つのメッセージが構成されてもよい。
【００３５】
ＧＮＳＳ受信機１２は、ＧＮＳＳ衛星信号に基づいて測位を行い、車両１００の現在の地理的な位置（緯度・経度）を示すＧＮＳＳ位置情報を制御部１５に出力する。
【００３６】
提示部１３は、制御部１５の制御下で、車両１００の運転者に対する情報の提示を行う。例えば、提示部１３は、情報を表示するディスプレイ及び情報を音声出力するスピーカのうち少なくとも一方を含む。
【００３７】
駆動制御部１４は、動力源としてのエンジン又はモータ、動力伝達機構、及びブレーキ等を制御する。車両１００が自動運転車両である場合、駆動制御部１４は、制御部１５と連携して車両１００の駆動を制御してもよい。
【００３８】
制御部１５は、少なくとも１つのメモリと、メモリと電気的に接続された少なくとも１つのプロセッサとを有する制御回路によって構成される。制御部１５は、車両１００（車載機１５０）における各種機能を制御する。
【００３９】
例えば、制御部１５は、路側機２００から受信部１１ｂが受信するメッセージに基づいて提示部１３を制御する。路側機２００から受信部１１ｂが受信するメッセージは、交通信号灯器３００の信号灯色に関する信号情報を含む。制御部１５は、信号情報を表示するように提示部１３を制御する。車両１００が自動運転車両である場合、制御部１５は、駆動制御部１４と連携し、信号情報に基づいて車両１００の駆動を制御してもよい。
【００４０】
制御部１５は、路側機２００に送信するメッセージを生成し、送信部１１ｃを介してメッセージを路側機２００に送信してもよい。送信するメッセージは、車両１００の位置（ＧＮＳＳ位置情報）や車速等を含む。
【００４１】
（路側機の構成）
次に、一実施形態に係る路側機２００について説明する。図４は、路側機２００の構成例を示す図である。
【００４２】
図４に示すように、路側機２００は、アンテナ２１ａと、無線通信部２１と、制御部２２と、インターフェイス２３とを有する。
【００４３】
無線通信部２１は、アンテナ２１ａを介して無線通信を行う。アンテナ２１ａは、無指向性アンテナであってもよいし、指向性を有する指向性アンテナであってもよい。アンテナ２１ａは、指向性を動的に変更可能なアダプティブアレイアンテナであってもよい。
【００４４】
無線通信部２１の無線通信方式は、ＡＲＩＢ  Ｔ１０９に準拠した方式であってもよいし、３ＧＰＰのＶ２Ｘ規格に準拠した方式であってもよいし、ＩＥＥＥ８０２．１１シリーズ等の無線ＬＡＮ規格に準拠した方式であってもよい。無線通信部２１は、これらの通信規格の全てに対応可能に構成されていてもよい。
【００４５】
無線通信部２１は、アンテナ２１ａが受信する無線信号をベースバンド信号（受信パケット）に変換して制御部２２に出力する受信部２１ｂを有する。また、無線通信部２１は、制御部２２が出力するベースバンド信号（送信パケット）を無線信号に変換してアンテナ２１ａから送信する送信部２１ｃを有する。
【００４６】
無線通信部２１は、車載機１５０（車両１００）との路車間通信を行う。路車間通信は、ユニキャストで行われてもよいし、ブロードキャスト又はマルチキャストで行われてもよい。車両１００に送信される路車間通信パケットは、送信元の識別に用いる識別情報、路側機２００に対する同期方法を示す同期情報、パケットの送信時刻、路車間通信の期間を示す期間情報（例えば、路車間通信の転送回数、路車間通信の期間長）などを含んでもよい。１以上のパケットによって１つのメッセージが構成されてもよい。
【００４７】
制御部２２は、少なくとも１つのメモリと、メモリと電気的に接続された少なくとも１つのプロセッサとを有する制御回路によって構成される。制御部２２は、路側機２００における各種の機能を制御する。
【００４８】
インターフェイス２３は、中央装置４００又は交通信号制御機との通信を行うためのインターフェイスである。交通信号制御機は、交通信号灯器３００を制御する装置である。交通信号制御機は、交通信号灯器３００とは別に設けられてもよいし、交通信号灯器３００と一体化されていてもよい。
【００４９】
制御部２２は、インターフェイス２３を介して外部装置（すなわち、中央装置４００又は交通信号制御機）から信号情報を取得し、取得した信号情報の量を削減する削減処理を行う。削減処理の詳細については後述する。そして、制御部２２は、削減処理後の信号情報を含むメッセージを車載機１５０（車両１００）に周期的に送信するように送信部２１ｃを制御する。例えば、制御部２２は、削減処理後の信号情報を含むメッセージを路車間通信期間において送信するように送信部２１ｃを制御する。
【００５０】
（路側機の動作環境）
次に、一実施形態に係る路側機２００の動作環境について説明する。図５は、路側機２００の動作環境の一例を示す図である。
【００５１】
図５に示すように、路側機２００は、交通信号灯器３００が存在する道路の周辺に設けられる。具体的には、路側機２００は、複数の道路が交差する交差点の周辺に設けられる。図５において、交差点として十字路を例示しているが、交差点はＴ字路であってもよい。
【００５２】
交差点における方路１乃至４のそれぞれに交通信号灯器３００が設けられている。図５において、方路１乃至４に対応する４つの交通信号灯器３００として４つの車灯器３００Ａ乃至３００Ｃを例示しているが、交通信号灯器３００は歩灯器であってもよい。
【００５３】
車灯器３００Ａは方路１に設けられており、車灯器３００Ｂは方路２に設けられており、車灯器３００Ｃは方路３に設けられており、車灯器３００Ｄは方路４に設けられている。
【００５４】
ここで、方路１に設けられる車灯器３００Ａと、方路１と同じ道路に属する方路２に設けられる車灯器３００Ｃとは、信号灯色の変化パターンが同じであり、同じタイミングで灯色を切り替える。以下において、車灯器３００Ａ及び３００Ｃのセットを「車灯器１」と呼ぶことがある。
【００５５】
また、方路２に設けられる車灯器３００Ｂと、方路２と同じ道路に属する方路４に設けられる車灯器３００Ｄとは、信号灯色の変化パターンが同じであり、同じタイミングで灯色を切り替える。以下において、車灯器３００Ｂ及び３００Ｄのセットを「車灯器２」と呼ぶことがある。
【００５６】
（削減処理）
次に、一実施形態に係る路側機２００における削減処理について説明する。図６は、削減処理の概要を示す図である。
【００５７】
図６に示すように、路側機２００（制御部２２）は、交通信号灯器３００の信号灯色に関する情報要素を複数の階梯それぞれについて含む信号情報を外部装置から取得する。階梯とは、１つの交差点における信号表示の切り替えの最小単位をいう。階梯は、ステップとも呼ばれる。
【００５８】
図６に示す例において、路側機２００（制御部２２）が取得する信号情報は、車灯器３００Ａに対応する車灯器情報１と、車灯器３００Ｂに対応する車灯器情報２と、車灯器３００Ｃに対応する車灯器情報３と、車灯器３００Ｄに対応する車灯器情報４とを含む。
【００５９】
路側機２００（制御部２２）は、取得した信号情報の量を削減する削減処理を行い、削減処理後の信号情報を無線通信により車載機１５０（車両１００）に送信する。一実施形態において、削減処理は、信号情報の量を削減する方法が異なる３種類の処理、具体的には、削除処理、結合処理、及び短縮処理を含む。
【００６０】
削除処理は、複数の交通信号灯器３００において、信号灯色の変化パターンが同じである２以上の交通信号灯器３００が存在する場合、これら２以上の交通信号灯器３００に対応する２以上の信号情報を１つに削減する処理である。
【００６１】
例えば、車灯器３００Ａ及び３００Ｃは、上述した車灯器１に属しており、信号灯色の変化パターンが同じである。このため、路側機２００（制御部２２）は、車灯器３００Ａに対応する車灯器情報１と車灯器３００Ｃに対応する車灯器情報３とのうち一方を削除する。図６において、車灯器情報１及び車灯器情報３のうち車灯器情報３を削除する一例を示している。
【００６２】
同様に、車灯器３００Ｂ及び３００Ｄは、上述した車灯器２に属しており、信号灯色の変化パターンが同じである。このため、路側機２００（制御部２２）は、車灯器３００Ｂに対応する車灯器情報２と車灯器３００Ｄに対応する車灯器情報４とのうち一方を削除する。図６において、車灯器情報２及び車灯器情報４のうち車灯器情報４を削除する一例を示している。
【００６３】
結合処理は、信号情報において、連続する２以上のステップ間で信号灯色が同じである場合、連続する２以上のステップに対応する２以上の情報要素を１つに削減する結合処理である。
【００６４】
例えば、各ステップに対応する情報要素は、交通信号灯器３００の信号灯色を示す第１情報要素と、この信号灯色の表示秒数を示す第２情報要素とを含む。結合処理は、連続する２以上のステップ間で信号灯色が同じである場合、当該連続する２以上のステップに対応する２以上の第１情報要素を１つに削減する。また、結合処理は、当該連続する２以上のステップにおける信号灯色の表示秒数を合算することにより、当該連続する２以上のステップに対応する２以上の第２情報要素を１つに削減する。
【００６５】
短縮処理は、車載機１５０（車両１００）に送信する信号情報において、現在の信号灯色以降の所定変化数分の信号灯色に対応する情報要素に限定する処理である。例えば、路側機２００（制御部２２）は、車載機１５０（車両１００）に送信する信号情報において、現在の信号灯色に対応する情報要素と、現在の信号灯色の次の信号灯色に対応する情報要素とに限定する。
【００６６】
図７は、一実施形態に係る削減処理の具体例を示す図である。
【００６７】
図７（ａ）及び表１に示すように、車灯器１及び２は、ステップ番号＃１乃至＃６の６つのステップにより、信号灯色の切り替わりの１つのサイクルを構成する。
【００６８】
【表１】
2020161873.tif 000003
【００６９】
図７（ａ）及び（ｂ）に示すように、削減処理前の信号情報は、現タイミングから７０秒先までの期間における信号灯色の切り替わりを示している。具体的には、削減処理前の信号情報は、車灯器１及び２のそれぞれについて２サイクル分の信号灯色の切り替わりを示している。
【００７０】
図７（ｂ）に示すように、信号情報を構成する車灯器情報は、車灯器１に対応する車灯器情報１と、車灯器２に対応する車灯器情報２とを有する。車灯器情報１及び２のそれぞれは、灯色変化数を示す情報要素と、各ステップに対応する情報要素とを含む。
【００７１】
灯色変化数を示す情報要素は、現在の信号灯色を「１」として、ステップの切り替わりごとに「１」が加算されたものである。１つのサイクルが６つのステップにより構成されており、車灯器情報が２サイクル分の信号灯色の切り替わりを示しているため、灯色変化数は「１２」である。
【００７２】
各ステップに対応する情報要素は、信号灯色を示す情報要素（第１情報要素）と、この信号灯色の表示秒数を示す情報要素（第２情報要素）とを含む。各車灯器情報は、各ステップについて第１情報要素と第２情報要素とのセットを含む。１つのサイクルが６つのステップにより構成されており、車灯器情報が２サイクル分の信号灯色の切り替わりを示しているため、１つの車灯器情報は、第１情報要素と第２情報要素とのセットを１２個有する。
【００７３】
路側機２００（制御部２２）は、図７（ｂ）に示す信号情報に対して、上述した結合処理及び短縮処理を行うことにより情報量を削減し、図７（ｃ）に示す信号情報を出力する。
【００７４】
図７（ｃ）に示すように、路側機２００（制御部２２）は、車灯器２に対応する車灯器情報２においてステップ＃１乃至＃３の信号灯色がいずれも「赤」であるため、結合処理により、これらのステップ＃１乃至＃３についての３つの第１情報要素「赤」、「赤」、及び「赤」を、１つの第１情報要素「赤」に集約する。また、路側機２００（制御部２２）は、結合処理により、これらのステップ＃１乃至＃３の表示秒数を合算し、ステップ＃１乃至＃３についての３つの第２情報要素「１０秒」、「５秒」、及び「２秒」を、１つの第２情報要素「１７秒」に集約する。
【００７５】
その結果、車灯器情報２のステップ＃１乃至＃３について、削減前においては第１情報要素と第２情報要素とのセットが３個必要であったところ、削減後においては第１情報要素と第２情報要素とのセットが１個で済んでいる。つまり、２セット分の情報量が削減されている。
【００７６】
さらに、路側機２００（制御部２２）は、車灯器情報１及び２のそれぞれについて、短縮処理により、車載機１５０（車両１００）に送信する信号情報において、現在の信号灯色以降の所定変化数までの車灯器情報に限定する。図７（ｃ）において、所定変化数を「２」とする一例を示している。このように、車灯器情報１及び２のそれぞれを短縮することで情報量を削減している。
【００７７】
図７（ｄ）に、図７（ｂ）の時点から１０秒後における信号情報の削減例を示す。図７（ｂ）の時点から１０秒後の時点はステップ＃２の開始時点である。
【００７８】
図７（ａ）、（ｂ）、及び（ｄ）に示すように、路側機２００（制御部２２）は、車灯器１に対応する車灯器情報１においてステップ＃３乃至＃６の信号灯色がいずれも「赤」であるため、結合処理により、これらのステップ＃３乃至＃６についての４つの第１情報要素「赤」、「赤」、「赤」、及び「赤」を、１つの第１情報要素「赤」に集約する。また、路側機２００（制御部２２）は、結合処理により、ステップ＃３乃至＃６の表示秒数を合算し、ステップ＃３乃至＃６についての４つの第２情報要素「２秒」、「６秒」、「５秒」、及び「２秒」を、１つの第２情報要素「１５秒」に集約する。
【００７９】
また、路側機２００（制御部２２）は、車灯器２に対応する車灯器情報２においてステップ＃２及び＃３の信号灯色がいずれも「赤」であるため、結合処理により、これらのステップ＃２及び＃３についての２つの第１情報要素「赤」及び「赤」を、１つの第１情報要素「赤」に集約する。また、路側機２００（制御部２２）は、結合処理により、ステップ＃２及び＃３の表示秒数を合算し、ステップ＃２及び＃３についての２つの第２情報要素「５秒」及び「２秒」を、１つの第２情報要素「７秒」に集約する。
【００８０】
さらに、路側機２００（制御部２２）は、車灯器情報１及び２のそれぞれについて、短縮処理により、車載機１５０（車両１００）に送信する信号情報において、現在の信号灯色以降の所定変化数までの車灯器情報に限定する。
【００８１】
（動作フロー）
次に、一実施形態に係る路側機２００の動作フローについて説明する。図８は、路側機２００の動作フロー例を示す図である。図８に示すフローは、周期的に実行されてもよい。
【００８２】
図８に示すように、路側機２００の制御部２２は、インターフェイス２３を介して外部装置（中央装置４００又は交通信号制御機）から信号情報を取得する（Ｓ１０１）。
【００８３】
路側機２００の受信部２１ｂは、車載機１５０（車両１００）からメッセージを受信する（Ｓ１０２）。このメッセージは、車両１００の位置（ＧＮＳＳ位置情報）や車速等を含む。なお、Ｓ１０１及びＳ１０２の順番は、逆であってもよい。
【００８４】
路側機２００の制御部２２は、受信部２１ｂが受信したメッセージに基づいて、車両１００の車速を特定する。ここで、制御部２２は、受信部２１ｂが受信したメッセージに含まれる車速から、車両１００の車速を特定する。制御部２２は、受信部２１ｂが周期的に受信したメッセージに含まれる位置（ＧＮＳＳ位置情報）の変化から、車両１００の車速を特定してもよい。
【００８５】
車速が遅い場合、より多くの車両１００が存在しているとみなすことができる。このような場合、周波数帯が混み合っているため、路側機２００が送信する情報量を少なくすることで車載機１５０の送信機会の減少を防ぐ必要性が高い。
【００８６】
路側機２００の制御部２２は、特定した車速を閾値と比較する（Ｓ１０３）。
【００８７】
路側機２００の制御部２２は、特定した車速が閾値よりも高い場合（Ｓ１０３：ＹＥＳ）、信号情報の削減処理を行わないことを選択する（Ｓ１０４）。
【００８８】
一方、特定した車速が閾値以下である場合（Ｓ１０３：ＮＯ）、路側機２００の制御部２２は、信号情報の削減処理を行うことを選択する（Ｓ１０５）。この場合、制御部２２は、削減処理により、信号情報の情報量を削減する。
【００８９】
ここで、路側機２００の制御部２２は、特定した車速に基づいて、信号情報の量を調整してもよい。制御部２２は、特定した車速が低いほど、短縮処理における所定変化数を少なくする。一方、特定した車速が高いほど、短縮処理における所定変化数を多くする。例えば、制御部２２は、特定した車速が一定速度以下である場合、信号情報に含める信号灯色の変化数を「２」とする一方、特定した車速が一定速度よりも高い場合、信号情報に含める信号灯色の変化数を「３」とする。
【００９０】
そして、路側機２００の制御部２２は、送信部２１ｃを介して信号情報を車載機１５０に送信する（Ｓ１０６）。
【００９１】
（実施形態のまとめ）
以上説明したように、路側機２００は、信号情報の量を削減する削減処理を行い、削減処理後の信号情報を無線通信により車載機１５０に送信する。これにより、路側機２００及び車載機１５０が同じ周波数帯を時分割で共用する場合であっても、路側機２００における送信時間を短くし、車載機１５０の送信機会を増やすことができるため、車載機１５０の送信機会の減少を抑制できる。
【００９２】
（短縮処理の変更例）
短縮処理は、車載機１５０に送信する信号情報を、現タイミングから所定時間が経過するまでの信号情報に限定するものであってもよい。図９は、短縮処理の変更例を示す図である。
【００９３】
図９（ａ）に示すように、路側機２００（制御部２２）は、車載機１５０に送信する信号情報を、現タイミングから３０秒が経過するまでの信号情報に限定する。或いは、図９（ｂ）に示すように、路側機２００（制御部２２）は、車載機１５０に送信する信号情報を、現タイミングから１５秒が経過するまでの信号情報に限定する。
【００９４】
また、路側機２００（制御部２２）は、特定した車速に基づいて、信号情報の量を調整してもよい。路側機２００（制御部２２）は、特定した車速が低いほど、短縮処理における所定時間を短くする。一方、特定した車速が高いほど、短縮処理における所定時間を長くする。
【００９５】
例えば、路側機２００（制御部２２）は、特定した車速が一定速度以下である場合、図９（ｂ）に示す短縮処理により信号情報を削減する。一方、特定した車速が一定速度よりも高い場合、図９（ａ）に示す短縮処理により信号情報を削減する。
【００９６】
（その他の実施形態）
上述した実施形態において、かなり先の信号情報の取得を望む車載機１５０が存在する可能性を特に考慮していなかった。しかしながら、そのような車載機１５０の存在を考慮し、路側機２００（制御部２２）が図１０に示すような動作を行ってもよい。図１０に示すように、路側機２００（制御部２２）は、削減処理を行う場合であっても、一定期間Ｔごと（例えば、５秒ごと）に、削減処理が行われていない信号情報を送信してもよい。
【００９７】
上述した実施形態において、路側機２００（制御部２２）が信号情報を外部装置から取得する一例について説明した。しかしながら、路側機２００（制御部２２）は、信号情報を予め路側機２００の記憶媒体に記憶し、この記憶媒体から信号情報を取得してもよい。
【００９８】
また、上述した実施形態において、削減処理の対象とする信号情報が車灯器情報である一例について説明した。しかしながら、削減処理の対象とする信号情報が歩灯器情報であってもよいし、削減処理の対象とする信号情報が車灯器情報及び歩灯器情報の両方であってもよい。
【００９９】
また、上述した実施形態において、移動局が車載機１５０である一例について説明した。しかしながら、移動局は、歩行者が所持する携帯端末であってもよい。携帯端末は、例えばスマートフォン又はタブレット端末等である。
【０１００】
以上、図面を参照して実施形態について詳しく説明したが、具体的な構成は上述のものに限られることはなく、要旨を逸脱しない範囲内において様々な設計変更等をすることが可能である。
【符号の説明】
【０１０１】
１        ：交通通信システム
１１      ：無線通信部
１１ａ    ：アンテナ
１１ｂ    ：受信部
１１ｃ    ：送信部
１２      ：ＧＮＳＳ受信機
１３      ：提示部
１４      ：駆動制御部
１５      ：制御部
２１      ：無線通信部
２１ａ    ：アンテナ
２１ｂ    ：受信部
２１ｃ    ：送信部
２２      ：制御部
２３      ：インターフェイス
１００    ：車両
１５０    ：車載機
２００    ：路側機
３００    ：交通信号灯器
４００    ：中央装置
【図１】
2020161873.tif 000004
【図２】
2020161873.tif 000005
【図３】
2020161873.tif 000006
【図４】
2020161873.tif 000007
【図５】
2020161873.tif 000008
【図６】
2020161873.tif 000009
【図７】
2020161873.tif 000010
【図８】
2020161873.tif 000011
【図９】
2020161873.tif 000012
【図１０】
2020161873.tif 000013